(57)【要約】　　　（修正有）【課題】化成品の再生シート材料に大豆油成分を含んでいる紫外線硬化型インキを使用することで、環境への負荷を低減できる印刷物を提供する。【解決手段】再生ポリプロピレンフィルムなどの化成品の再生シート材料に、大豆油成分が含まれ且つＶＯＣ成分を含まない紫外線硬化型インキを用いて絵柄などの印刷を施したクリアファイルなどの印刷物。【選択図】図２
0003100375.tif 000002
【実用新案登録請求の範囲】
【請求項１】
再生ポリプロピレンフィルム、再生ペットフィルム等の化成品の再生シート材料と、該再生シート材料の表面に大豆油成分が含まれ且つＶＯＣ成分を含まない紫外線硬化型インキからなるクリアファイルなどの印刷物。
【請求項２】
再生ポリプロピレンフィルム、再生ペットフィルム等の化成品の再生シート材料と、該再生シート材料の表面に大豆油成分が含まれ且つＶＯＣ成分を含まない紫外線硬化型インキからなるクリアファイル・ポスターなどの印刷物。
【請求項３】
再生ポリプロピレンフィルム、再生ペットフィルム等の化成品の再生シート材料と、該再生シート材料の表面に大豆油成分が含まれ且つＶＯＣ成分を含まない紫外線硬化型インキからなるクリアファイル・ポスター・パッケージなどの印刷物。
【請求項４】
再生ポリプロピレンフィルム、再生ペットフィルム等の化成品の再生シート材料と、該再生シート材料の表面に大豆油成分が含まれ且つＶＯＣ成分を含まない紫外線硬化型インキからなる・ポスター・パッケージ・ポップなどの印刷物。
【請求項５】
再生ポリプロピレンフィルム、再生ペットフィルム等の化成品の再生シート材料と、該再生シート材料の表面に大豆油成分が含まれ且つＶＯＣ成分を含まない紫外線硬化型インキからなるクリアファイル・ポスター。パッケージ・下敷・ポップなどの印刷物。
【考案の詳細な説明】
【０００１】
【考案の属する技術分野】
本考案は主として、大豆油成分を含む紫外線硬化型インキを用い、化成品の再生シート材料の印刷物に関する印刷する技術をクリアファイル・パッケージ等に応用した。
【０００２】
【従来の技術】
従来のクリアファイル・パッケージ等の印刷物に対する印刷には、揮発性有害物質（ＶＯＣ成分）を含む溶剤系インキ、又は紫外線硬化型オフセットインキが使用されていた。
一方、大豆油成分を含んだインキは、紙に対しては印刷できるが、再生ポリプロピレンフィルム等の化成品に対応できるインキではなかった。
【０００３】
【考案が解決しようとする課題】
本考案は、ＶＯＣ成分が発生せず環境に配慮する印刷物を提供することを課題とする。
【０００４】
【課題を解決するための手段】
本考案は、大豆油成分を含み且つＶＯＣ成分を含まない紫外線硬化型インキを使用し、化成品の再生シート材料に印刷するものである。具体的には、再生ポリプロピレンフィルム、再生ペットフィルム等の化成品の再生シート材料に対する印刷物である。
【０００５】
【考案実施の形態】
図１は本考案において印刷される印刷物の一つであるクリアファイル（Ｆ）の斜視図である。絵柄（２）はクリアファイル表面（１）の裏面から印刷している。図１でクリアファイル（Ｆ）の左辺（ｃ）は山折になっており、底辺（ｂ）は圧着されている。そのため左辺（ｃ）と底辺（ｂ）は閉じた状態になっている。上辺（ａ）と右辺（ｄ）は開口しており、ここから書類等をはさんで使用する。図２は図１で示したクリアファイル（Ｆ）の断面を示す概略図である。絵柄（２）は印刷後折り曲げてファイルの形にしているため、クリアファイル表面（１）の裏面とクリアファイル裏面（３）の裏面とに絵柄（２）や文字（図示せず）が印刷されている。そしてインキは大豆油成分を含み且つＶＯＣ成分を含まない紫外線硬化型インキ（Ｂ）を使用しているため、有機性有害物質（ＶＯＣ成分）がない印刷物であるクリアファイル（Ｆ）ができる。したがって、印刷を絵柄（２）や文字（図示せず）をクリアファイル表面１の裏面などに用いることで、安全で環境に優しく、利用者の識別が容易になるクリアファイル（Ｆ）などの印刷物を作成する事ができる。このような印刷方法で、化成品の再生フイルムシート材料（Ａ）に印刷し、クリアファイル（Ｆ）以外の印刷物でも表刷・裏刷を問わず、化成品のパッケージ・プラスチックうちわ・下敷・ポップ・ポスター等として使用できる。
【０００６】
【考案の効果】
環境への負荷を低減させる事ができ、環境への配慮をしている事による安堵感を得られる。
大豆油成分を含むインキを使用し、化成品の再生シート材料に印刷しても、従来のクリアファイル・パッケージ等と同等の品質で印刷することができる。
【図面の簡単な説明】
【図１】本考案の印刷物であるクリアファイルの斜視図
【図２】図１のクリアファイルの断面を示す概略図
【符号の説明】
Ｆ　クリアファイル（印刷物）
１　クリアファイル表面
２　絵柄
３　クリアファイル裏面
Ａ　化成品の再生シート材料
Ｂ　大豆油成分を含むＵＶインキ
ａ　上辺
ｂ　下辺
ｃ　左辺
ｄ　右辺
【図１】
0003100375.tif 000003
【図２】
0003100375.tif 000004
【手続補正書】
【提出日】平成15年4月25日(2003.4.25)
【手続補正１】
【補正対象書類名】明細書
【補正対象項目名】実用新案登録請求の範囲
【補正方法】変更
【補正の内容】
【実用新案登録請求の範囲】
【請求項１】
再生ポリプロピレンフィルム、再生ペットフィルム等の化成品の再生シート材料と、該再生シート材料の表面に大豆油成分が含まれ且つＶＯＣ成分を含まない紫外線硬化型インキからなるクリアファイルなどの印刷物。
【請求項２】
再生ポリプロピレンフィルム、再生ペットフィルム等の化成品の再生シート材料と、該再生シート材料の表面に大豆油成分が含まれ且つＶＯＣ成分を含まない紫外線硬化型インキからなるクリアファイル・ポスターなどの印刷物。
【請求項３】
再生ポリプロピレンフィルム、再生ペットフィルム等の化成品の再生シート材料と、該再生シート材料の表面に大豆油成分が含まれ且つＶＯＣ成分を含まない紫外線硬化型インキからなるクリアファイル・ポスター・パッケージなどの印刷物。
【請求項４】
再生ポリプロピレンフィルム、再生ペットフィルム等の化成品の再生シート材料と、該再生シート材料の表面に大豆油成分が含まれ且つＶＯＣ成分を含まない紫外線硬化型インキからなる・ポスター・パッケージ・ポップなどの印刷物。
【請求項５】
再生ポリプロピレンフィルム、再生ペットフィルム等の化成品の再生シート材料と、該再生シート材料の表面に大豆油成分が含まれ且つＶＯＣ成分を含まない紫外線硬化型インキからなるクリアファイル・ポスター。パッケージ・下敷・ポップなどの印刷物。
【手続補正書】
【提出日】平成15年9月18日(2003.9.18)
【手続補正１】
【補正対象書類名】明細書
【補正対象項目名】実用新案登録請求の範囲
【補正方法】変更
【補正の内容】
【実用新案登録請求の範囲】
【請求項１】
再生ポリプロピレンフィルム、再生ペットフィルム等の化成品の再生シート材料からなる層と、該再生シート材料の表面に大豆油成分が含まれ且つＶＯＣ成分を含まない紫外線硬化型インキからなる層を積層したクリアファイルなどの印刷物。
【請求項２】
再生ポリプロピレンフィルム、再生ペットフィルム等の化成品の再生シート材料からなる層と、該再生シート材料の表面に大豆油成分が含まれ且つＶＯＣ成分を含まない紫外線硬化型インキからなる層を積層したクリアファイル・ポスターなどの印刷物。
【請求項３】
再生ポリプロピレンフィルム、再生ペットフィルム等の化成品の再生シート材料からなる層と、該再生シート材料の表面に大豆油成分が含まれ且つＶＯＣ成分を含まない紫外線硬化型インキからなる層を積層したクリアファイル・ポスター・パッケージなどの印刷物。
【請求項４】
再生ポリプロピレンフィルム、再生ペットフィルム等の化成品の再生シート材料からなる層と、該再生シート材料の表面に大豆油成分が含まれ且つＶＯＣ成分を含まない紫外線硬化型インキからなる層を積層したポスター・パッケージ・ポップなどの印刷物。
【請求項５】
再生ポリプロピレンフィルム、再生ペットフィルム等の化成品の再生シート材料からなる層と、該再生シート材料の表面に大豆油成分が含まれ且つＶＯＣ成分を含まない紫外線硬化型インキからなる層を積層したクリアファイル・ポスター・パッケージ・下敷・ポップなどの印刷物。